(57)【要約】【課題】  従来から使用されてきたゴルフ練習用パターは、スイング用の目印となるセンターラインがついていても短く、それを床面の直線ラインに合わして正しく振るのは難しく、また打面が平なのでゴルフボールが打面中央部に正しく当たったや否やを判別するのが困難であった。【解決手段】  パター１のパターヘッド２の上面に後方に長い線標示板２Ａを形成しこの線標示板２Ａにセンターライン３を表示するとともに、パターヘッド２の打面にはセンターライン３に相当する位置が最も突出している打撃突起２Ｂを形成し、また打撃突起２Ｂは、断面半円形又は三角形状とした。【選択図】      図１
0003107229.tif 000002
【実用新案登録請求の範囲】
【請求項１】
パター１のパターヘッド２の上面に後方に長い線標示板２Ａを形成しこの線標示板２Ａにセンターライン３を表示するとともに、パターヘッド２の打面にはセンターライン３に相当する位置が最も突出している打撃突起２Ｂを形成したことを特徴とするゴルフ練習用パター。
【請求項２】
打撃突起２Ｂは、断面半円形又は三角形状とした請求項１記載のゴルフ練習用パター。
【請求項３】
センターライン３は夜光塗料で表示した請求項１又は請求項２記載のゴルフ練習用パター。
【考案の詳細な説明】
【技術分野】
【０００１】
この考案はゴルフホール周囲の軽打区域であるパッティンググリーンにあるゴルフボールを、ホール（カップ）に正確に入れるためのパッティング練習を効率よく行うことができるようにしたゴルフ練習用パターに関するものである。
【背景技術】
【０００２】
一般的にゴルフボールをパターで軽く打って正確にホールに向けて転がるようにするパッティング練習は、自宅の居間や事務室の床で何ら目印となるような直線ラインなどを表示しないで練習したり、あるいは目印となる直線ラインを表示してその直線ライン上にゴルフボールを置き、パターヘッドの打面中央にゴルフボールを当てるように打って直線ライン上を転がるように練習している。
【０００３】
直線ラインを表示してパッティング練習する時には、正しい方向へ打つためには、ゴルフボールを打つためにパターを前後にスイングする時に、パターヘッドの中央部が床面などに表示した直線ラインと一致して振られるようにする必要がある。
【０００４】
そこで、従来パターヘッドの中央を床面の直線ラインと視覚的に且つ容易に一致させることができるようにするために、パターヘッドの上面にセンターラインを表示したものもある。
【考案の開示】
【考案が解決しようとする課題】
【０００５】
しかし、これはセンターラインが短く極めて小さいので、ゴルフボールを打つためにパターを前後にスイングさせると、そのセンターラインがよく見えず結果としてパターヘッドのセンターラインを床面の直線ラインとうまく一致させることができない問題があった。
【０００６】
また、床に直線ラインを表示してないところでパッティング練習の時に、パターヘッドの中央部（スイートスポット）に当たらなくてもゴルフボールはある程度は一直線に転がっていくので、ゴルフボールがパターヘッドの中央部に正確に当たったのか否かが確認できない問題があった。
【課題を解決するための手段】
【０００７】
そこでこの考案に係るゴルフ練習用パター（請求項１）は前記の課題を解決するために、パター１のパターヘッド２の上面に後方に長い線標示板２Ａを形成しこの線標示板２Ａにセンターライン３を表示するとともに、パターヘッド２の打面にはセンターライン３に相当する位置が最も突出している打撃突起２Ｂを形成したものである。
【０００８】
またこの考案に係るゴルフ練習用パター（請求項２）は前記の課題を解決するために、打撃突起２Ｂは、断面半円形又は三角形状としたものである。
【０００９】
さらにこの考案に係るゴルフ練習用パター（請求項３）は前記の課題を解決するために、センターライン３は夜光塗料で表示したものである。
【考案の効果】
【００１０】
前記のようにこの考案によれば、パター１のパターヘッド２の上面に後方に長い線標示板２Ａを形成しこの線標示板２Ａにセンターライン３を表示するとともに、パターヘッド２の打面にはセンターライン３に相当する位置が最も突出している打撃突起２Ｂを形成し、また打撃突起２Ｂは断面半円形又は三角形状とし、さらにセンターライン３は夜光塗料で表示したので、床の直線ラインと容易に一致させることができるとともに、打撃突起の中央部に当たらないゴルフボールは真っ直ぐ転がらないので中央部に正確に当たったことが直ちにわかるため、パッティング練習の効率を向上させることができるという効果を有するものである。
【考案を実施するための最良の形態】
【００１１】
本考案は、パター１のパターヘッド２の上面に後方に長い線標示板２Ａを形成しこの線標示板２Ａにセンターライン３を表示するとともに、パターヘッド２の打面には、断面半円形又は三角形状でセンターライン３に相当する位置が最も突出している打撃突起２Ｂを形成する。
【実施例】
【００１２】
次にこの考案に係るゴルフ練習用パターの実施例を図面に基づいて述べると、１はパターであり、２はパターヘッドである。２Ａは前記パターヘッド２の上面に後方まで長く突出するように形成した線標示板であり、３はこの線標示板２Ａに表示したセンターラインである。
【００１３】
２Ｂはパターヘッド２の打面に形成した打撃突起であり、この打撃突起２Ｂは断面半円形又は断面三角形状に形成してある。そして、断面半円形や断面三角形状の打撃突起２Ｂはその最も突出している位置（頂点）がセンターライン３に相当する位置と一致するようにしてある。なお、前記センターラインは打撃突起２Ｂの最も突出している位置（頂点）まで表示する。
また、センターライン３は暗所での練習をし易くするために夜光塗料で表示してもよい。
【００１４】
このように構成した本考案のゴルフ練習用パターは、床に直線ライン４を表示した練習場所において、ゴルフボール５を直線ライン４上に置き、パター１のパターヘッド２を前後にスイングさせて、パターヘッド２の中央部をゴルフボール５の中心と一致させるように軽く打ってゴルフボール５が正しい方向へ転がっていくように練習する。
【００１５】
上記において、本考案のゴルフ練習用パターは、パターヘッド２の上面に後方に長い線標示板２Ａを形成し、この線標示板２Ａ全長にわたって打撃突起２Ｂの最も突出している位置（頂点）まで延長してセンターライン３を表示したので、このセンターライン３が直線ライン４に置いたゴルフボール５を打つために前後にスイングする時にも、視覚的に非常によく見えるから、センターライン３を直線ライン４と容易に一致させた状態でゴルフボール５を正確に打撃することができる。
【００１６】
そしてこの時、パターヘッド２の打面には断面半円形又は三角形状でセンターライン３に相当する位置が最も突出している打撃突起２Ｂが形成してあるので、ゴルフボール５が打撃突起２Ｂの中央部に正しく当たらなければ、図４に示すように横向きの傾斜角度で転がっていくので、中央部に当たらなかったのがすぐわかることになる。
【００１７】
このように打撃突起２Ｂに正しく当たらなければ真っ直ぐに転がらないので、床に直線ライン４が表示されていないところでもパッティング練習を効率的に行うことができる。そして、センターライン３を夜光塗料で表示しておくと、少し暗いところでもパッティング練習が可能である。なお、本考案は図面に示された構造に限らず、考案の要旨が外れない範囲内で変更することができるのは勿論である。
【産業上の利用可能性】
【００１８】
床面に目印となる直線ラインがあるところでは、クラブヘッドのセンターラインをこの直線ラインに合わしてスイングすることにより、正しいスイングを習得することができ、また打撃突起により打面中央部にゴルフボールが正確に当たったや否やを即座に知ることがでできる。一方、床面に目印となる直線ラインがない場所においても、打撃突起により打面中央部にゴルフボールが正確に当たったや否やを即座に知ることがでできる。
【図面の簡単な説明】
【００１９】
【図１】本考案の斜視図である。
【図２】本考案の他例を示す斜視図である。
【図３】本考案の断面図である。
【図４】本考案のボールの転がり方向を示す平面図である。
【図５】従来例を示す斜視図である。
【図６】図５の従来例のボールの転がり方向を示す平面図である。
【符号の説明】
【００２０】
１    パター
２    パターヘッド
２Ａ  線標示板
２Ｂ  打撃突起
３    センターライン
４    直線ライン
５    ゴルフボール
【図１】
0003107229.tif 000003
【図２】
0003107229.tif 000004
【図３】
0003107229.tif 000005
【図４】
0003107229.tif 000006
【図５】
0003107229.tif 000007
【図６】
0003107229.tif 000008